(57)【要約】【課題】コンピュータを用いて採点基準に基づいて答案の採点を行う際の作業効率を向上させる。【解決手段】ディスプレイに画像を表示可能なコンピュータが、受験者の答案の画像である答案画像をディスプレイに表示し、ディスプレイ上でのユーザ操作に応じて、答案に対する採点基準の画像である採点基準画像をディスプレイに表示し、採点基準画像が表示された状態で、答案に対する採点入力を受け付け、採点入力後に、採点基準画像の表示を消去する。【選択図】図１０
2015060505.tif 000002
【特許請求の範囲】
【請求項１】
ディスプレイに画像を表示可能なコンピュータに、
受験者の答案の画像である答案画像をディスプレイに表示する答案画像表示手順と、
ディスプレイ上でのユーザ操作に応じて、答案に対する採点基準の画像である採点基準画像をディスプレイに表示する採点基準表示手順と、
採点基準画像が表示された状態で、答案に対する採点入力を受け付ける採点入力手順と、
採点入力後に、採点基準画像の表示を消去する採点基準消去手順と、
を実行させるための採点支援プログラム。
【請求項２】
請求項１に記載の採点支援プログラムであって、
採点入力手順は、採点基準画像上において、採点入力を受け付けることを含む、
採点支援プログラム。
【請求項３】
請求項１または２に記載の採点支援プログラムであって、
採点基準表示手順は、答案に対する採点を行う箇所が答案画像上で指定されたことに応じて、採点基準画像をディスプレイに表示することを含む、
採点支援プログラム。
【請求項４】
請求項３に記載の採点支援プログラムであって、
コンピュータに、
答案画像上の前記箇所に、採点入力の結果を示す採点画像を表示する採点画像表示手順をさらに実行させるための採点支援プログラム。
【請求項５】
請求項１〜４の何れか一項に記載の採点支援プログラムであって、
コンピュータに、
採点入力の結果を答案と対応づけて採点結果記憶部に記録する採点結果記憶手順と、
複数の答案画像をディスプレイに表示する際の、採点入力の結果に応じた表示順序の条件を受け付ける条件入力手順と、
複数の答案画像を、条件に応じた表示順序でディスプレイに表示する採点結果表示手順と、
をさらに実行させるための採点支援プログラム。
【請求項６】
請求項５に記載の採点支援プログラムであって、
採点結果記憶手順は、採点基準ごとの採点入力の結果を答案と対応づけて採点結果記憶部に記録することを含み、
条件入力手順は、複数の採点基準のうちの少なくとも１つの採点基準を条件として受け付けることを含み、
採点結果表示手順は、少なくとも１つの採点基準における各答案の採点入力の結果に応じた表示順序で、複数の答案画像をディスプレイに表示することを含む、
採点支援プログラム。
【請求項７】
ディスプレイに画像を表示可能なコンピュータが、
受験者の答案の画像である答案画像をディスプレイに表示し、
ディスプレイ上でのユーザ操作に応じて、答案に対する採点基準の画像である採点基準画像をディスプレイに表示し、
採点基準画像が表示された状態で、答案に対する採点入力を受け付け、
採点入力後に、採点基準画像の表示を消去する、
採点支援方法。
【発明の詳細な説明】
【技術分野】
【０００１】
本発明は、受験者の答案の採点支援に関する。
【背景技術】
【０００２】
近年、コンピュータ技術およびネットワーク環境の普及により、学校や塾等で実施された試験の答案を、コンピュータを用いて採点することが行われつつある。例えば、特許文献１には、正答が一意に定まらない記述式試験の答案（例えば論説文等）の採点を支援するための採点支援システムが開示されている。
【先行技術文献】
【特許文献】
【０００３】
【特許文献１】特開２００６−２７７０８６号公報
【発明の概要】
【発明が解決しようとする課題】
【０００４】
特許文献１に開示された採点支援システムにおいては、例えば論説文の採点を行う場合、「読解力」や「構成力」、「論理性」などの採点項目が設けられている。そして、答案の採点を行う画面には、答案の画像と並べて、各採点項目についての採点基準が表示され、この採点基準を参考に、採点者が答案の採点を行うこととなる。具体的には、特許文献１には、「読解力」の採点基準として、「趣旨・内容を正しくとらえて、２級として優れた文章を書いている。（１５点）」、「趣旨・内容を正しくとらえているが、文章として物足りないものを書いている。（１０点）」、「問題の趣旨を誤解して、見当はずれのことを書いている。（５点）」などが例示されている。
【０００５】
このように、特許文献１に開示されているような採点支援システムを用いることにより、正答が一意に定まらない記述式試験の答案の採点を行うことが可能となるが、採点を行う画面に、答案の画像に加えて採点基準が表示されるため、答案の画像が表示される領域が小さくなってしまう。そのため、比較的長い文章の答案の採点を行う場合においては、答案の画像を何度も切替えたり、答案の画像内の文字サイズを小さくしたりする必要が生じ、採点作業の効率が低下してしまうことがある。
【０００６】
そこで、本発明は、コンピュータを用いて採点基準に基づいて答案の採点を行う際の作業効率を向上させることを目的とする。
【課題を解決するための手段】
【０００７】
本発明の一側面に係る採点支援プログラムは、ディスプレイに画像を表示可能なコンピュータに、受験者の答案の画像である答案画像をディスプレイに表示する答案画像表示手順と、ディスプレイ上でのユーザ操作に応じて、答案に対する採点基準の画像である採点基準画像をディスプレイに表示する採点基準表示手順と、採点基準画像が表示された状態で、答案に対する採点入力を受け付ける採点入力手順と、採点入力後に、採点基準画像の表示を消去する採点基準消去手順と、を実行させる。
【０００８】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【０００９】
本発明によれば、コンピュータを用いて採点基準に基づいて答案の採点を行う際の作業効率を向上させることができる。
【図面の簡単な説明】
【００１０】
【図１】本発明の一実施形態である採点処理システムの構成を示す図である。
【図２】答案画像記憶部に記憶されているデータの一例を示す図である。
【図３】採点基準記憶部に記憶されているデータの一例を示す図である。
【図４】採点結果記憶部に記憶されているデータの一例を示す図である。
【図５】採点支援装置のハードウェア構成の一例を示す図である。
【図６】採点支援プログラムの起動時の画面の一例を示す図である。
【図７】未採点一覧が表示された画面の一例を示す図である。
【図８】採点対象の答案の答案画像が表示された画面の一例を示す図である。
【図９】採点箇所を選択する操作の一例を示す図である。
【図１０】採点基準が表示された画面の一例を示す図である。
【図１１】採点基準に基づく採点操作の一例を示す図である。
【図１２】答案画像上に採点結果が表示された画面の一例を示す図である。
【図１３】添削メニューが表示された画面の一例を示す図である。
【図１４】答案一覧が表示された画面の一例を示す図である。
【図１５】並び替えメニューが表示された画面の一例を示す図である。
【発明を実施するための形態】
【００１１】
図１は、本発明の一実施形態である採点処理システムの構成を示す図である。採点処理システムは、採点管理システム１００、採点支援装置１０１、及びネットワーク１０２を含んで構成されている。
【００１２】
採点管理システム１００は、学校や塾等で実施された試験の受験者の答案に対する採点を管理する情報処理システムであり、答案画像記憶部１１０、答案画像送信部１１１、採点基準記憶部１１２、採点基準送信部１１３、採点結果受信部１１４、及び採点結果記憶部１１５を含んで構成される。
【００１３】
答案画像記憶部１１０には、受験者の答案が記入された答案用紙をスキャンすることにより生成された答案画像を含むデータ（答案データ）が記憶される。図２は、答案画像記憶部１１０に記憶される答案データの一例を示す図である。図２に示すように、答案データには、識別番号、採点者ＩＤ、及び答案画像が含まれる。ここで、識別番号とは、個々の答案用紙を識別するための番号であり、例えば答案用紙にバーコードで印刷されているものとすることができる。また、採点者ＩＤは、各答案を採点する採点者を識別するための識別子である。そして、答案画像は、スキャンされた答案画像である。
【００１４】
なお、本実施形態では、採点対象の答案を、正答が一意に定まらない記述式試験の答案（例えば論説文等）として説明するが、採点対象の答案には、正答が一意に定まる答案が含まれていてもよい。
【００１５】
図１に戻り、答案画像送信部１１１は、採点支援装置１０１からの要求に応じて、採点支援装置１０１のユーザ（採点者）が採点対象とする答案データを答案画像記憶部１１０から抽出し、採点支援装置１０１に送信する。
【００１６】
採点基準記憶部１１２には、正答が一意に定まらない記述式試験の答案に対する採点基準を示すデータ（採点基準データ）が記憶される。図３は、採点基準記憶部１１２に記憶される採点基準データの一例を示す図である。図３に示すように、採点基準データには、採点基準ＩＤ、減点項目、及び減点が含まれる。ここで、採点基準ＩＤとは、各採点基準を識別するための識別子である。また、減点項目は、答案を採点する際の基準となる項目である。減点項目の具体例としては、「表現不備」として、「文の組み立て方の不備」や「文脈不適切」、「表記不備」として、「誤字（表記の誤り）」などが含まれる。また、減点は、答案が各減点項目に該当すると判断された場合に減点される点数である。なお、図３に示した減点項目は一例にすぎず、種々の減点項目を採用することができる。また、採点基準は減点項目に限られず、加点項目が含まれていてもよい。また、問題（試験や小問）ごとに採点基準が設けられていることとしてもよい。問題ごとに採点基準を設ける場合、問題を識別する問題識別子を採点基準データに含めることができる。
【００１７】
図１に戻り、採点基準送信部１１３は、採点支援装置１０１からの要求に応じて、採点者が答案を採点する際に必要となる採点基準データを採点支援装置１０１に送信する。なお、問題ごとに採点基準が設けられている場合、採点基準送信部１１３は、採点基準記憶部１１２に記憶されている採点基準データの中から、採点対象の答案の採点に必要な採点基準データを抽出して採点支援装置１０１に送信することができる。また、採点基準送信部１１３は、問題を識別する問題識別子を含む採点基準データを採点支援装置１０１に送信することもできる。
【００１８】
採点結果受信部１１４は、採点支援装置１０１において採点された結果を示す採点結果データを採点支援装置１０１から受信し、採点結果記憶部１１５に格納する。図４は、採点結果記憶部１１５に記憶される採点結果データの一例を示す図である。図４に示すように、採点結果データには、識別番号、減点項目、得点、及び採点画像が含まれる。採点結果データに含まれる減点項目には、答案に対して採点者が選択した減点項目の採点基準ＩＤが含まれる。得点には、減点項目による減点を考慮した得点が設定される。採点画像は、採点者による採点入力の結果を示す画像である。例えば、採点画像には、答案画像上で減点対象として選択された箇所や、当該箇所における減点の点数、答案に対する採点者の添削内容等が含まれる。
【００１９】
図１に戻り、採点支援装置１０１は、各採点者が自身に割り振られた答案を採点するために使用する情報処理装置であり、例えば、タッチ操作が可能なタブレット型コンピュータである。なお、採点支援装置１０１は、タブレット型コンピュータに限られず、パーソナルコンピュータ等の任意の情報処理装置とすることができる。採点支援装置１０１は、例えば、インターネットやＬＡＮ等のネットワーク１０２を介して採点管理システム１００と通信可能に接続される。図１においては、採点支援装置１０１は１つしか図示されていないが、採点管理システム１００には、複数の採点者が使用する複数の採点支援装置１０１が同時にアクセス可能である。
【００２０】
採点支援装置１０１は、答案画像取得部１２０、答案画像記憶部１２１、採点基準取得部１２２、採点基準記憶部１２３、画像表示部１２４、入力受付部１２５、採点結果記憶部１２６、及び採点結果送信部１２７を含んで構成される。
【００２１】
答案画像取得部１２０は、採点者が採点対象とする答案の答案データを採点管理システム１００から取得し、答案画像記憶部１２１に格納する。例えば、答案画像取得部１２０は、採点者ＩＤを含む答案画像要求データを採点管理システム１００に送信することにより、答案データを採点管理システム１００から取得することができる。なお、答案画像記憶部１２１に記憶される答案データは、例えば、図２に示した構成とすることができる。
【００２２】
採点基準取得部１２２は、採点基準データを採点管理システム１００から取得し、採点基準記憶部１２３に格納する。なお、採点基準取得部１２２は、採点者が採点する答案とは関係なく全ての採点基準データを採点管理システム１００から取得してもよいし、採点対象の答案に関する採点基準データのみを採点管理システム１００から取得してもよい。また、採点基準取得部１２２は、任意のタイミングで採点基準データを取得することができる。例えば、採点基準取得部１２２は、採点処理を開始する際（例えば、採点支援プログラムを起動した際）に採点基準データを取得してもよいし、答案の採点中に採点基準データが必要となったタイミングで採点基準データを取得してもよい。
【００２３】
画像表示部１２４は、答案画像や採点結果等の各種画像を表示装置（ディスプレイ）に表示するための画像データを生成する。
【００２４】
入力受付部１２５は、採点を行うための各種ユーザ操作を受け付ける。例えば、入力受付部１２５は、タッチパネルを介して入力されるユーザ操作を受け付け、該ユーザ操作を他の各部に伝達することができる。
【００２５】
採点結果記憶部１２６には、採点支援装置１０１において採点された結果を示す採点結果データが記憶される。採点結果記憶部１２６に記憶される採点結果データは、例えば、図４に示した構成とすることができる。
【００２６】
採点結果送信部１２７は、採点結果記憶部１２６に記憶されている採点結果データを採点管理システム１００に送信する。なお、採点結果送信部１２７は、任意のタイミングで採点結果データを採点管理システム１００に送信することができる。例えば、採点結果送信部１２７は、採点者の指示に応じて採点結果データを送信することとしてもよいし、所定のタイミング（例えば採点支援プログラムの終了時等）に採点結果データを送信することとしてもよい。
【００２７】
図５は、採点支援装置１０１のハードウェア構成の一例を示す図である。採点支援装置１０１は、メモリ５００、プロセッサ５０１、通信インタフェース（Ｉ／Ｆ）５０２、表示装置５０３、及び入力装置５０４を含んで構成される。
【００２８】
メモリ５００は、各種データやプログラムを記憶するための記憶領域である。プロセッサ５０１は、メモリ５００に記憶されているプログラム（採点支援プログラム）を実行することにより、採点支援装置１０１における各種機能を実現することができる。通信Ｉ／Ｆ５０２は、採点管理支援システム１００等の外部の情報処理装置とデータの送受信を行うためのインタフェースである。表示装置５０３は、各種画像を表示するためのデバイスである。入力装置５０４は、ユーザ操作を入力するためのデバイスである。本実施形態では、表示装置５０３及び入力装置５０４がタッチパネルによって実現されていることとして説明する。なお、表示装置５０３及び入力装置５０４はタッチパネルに限られず、任意のデバイスを用いることが可能である。また、表示装置５０３及び入力装置５０４は、採点支援装置１０１の外部に設けられていることとしてもよい。
【００２９】
次に、採点支援装置１０１における採点操作の一例について説明する。なお、以下に示す例では、入力受付部１２５が各種ユーザ操作を受け付け、該ユーザ操作に基づいて、画像表示部１２４が各種画像の表示を行う。
【００３０】
図６は、採点支援プログラムの起動時の画面の一例を示す図である。図６に示すように、画面６００には、採点を行う際に使用する操作ボタンとともに、各操作ボタンの説明（ヘルプ）が表示されている。具体的には、画面６００には、ボタン６１０〜６１７が設けられている。ボタン６１０は、未採点の答案の一覧（未採点一覧）を表示する画面への遷移を指示するためのものである。ボタン６１１は、答案の一覧（答案一覧）を表示する画面への遷移を指示するためのものである。ボタン６１２は、１つ前の答案を表示する画面への遷移を指示するためのものである。ボタン６１３は、１つ後の答案を表示する画面への遷移を指示するためのものである。ボタン６１４は、添削用メニューの表示を指示するためのものである。ボタン６１５は、得点の入力を行うための採点基準（採点基準画像）の表示を指示するためのものである。ボタン６１７は、画面６００の表示を指示するためのものである。
【００３１】
図７は、未採点一覧が表示された画面の一例を示す図である。画面７００には、未採点の答案の画像（答案画像）７１０が表示されている。未採点の答案が複数存在する場合、画面７００には、複数の答案画像７１０が所定の順序に従って表示される。所定の順序は、例えば、識別番号順であってもよいし、採点者によって指定される順序であってもよい。また、画面７００では、ボタン６１２，６１３を操作することにより、画面７００に表示される答案画像７１０を変更することができる。画面７００では、例えば指７１１で答案画像７１０を選択する（例えばダブルタップする）ことにより、採点対象の答案を指定することができる。なお、本実施形態では、指によってユーザ操作を行う例を説明するが、ユーザ操作は指によるものに限られない。
【００３２】
図８は、採点対象の答案の答案画像が表示された画面の一例を示す図である。画面８００には、採点対象の答案の答案画像８１０が表示されている。採点対象の答案は、例えば、図７に示した未採点一覧の画面７００において選択することができる。採点者は、図８に示した答案画像８１０を確認し、答案に対する採点を行うことができる。
【００３３】
具体的には、例えば、採点者は、図９に示すように、答案画像８１０上において、採点入力を行う箇所を選択することができる。図９においては、指９００によって、採点箇所が選択されている。採点箇所が選択されると、図１０に示すように、採点対象の答案に対する採点基準の画像（採点基準画像）１０００が表示される。採点基準画像１０００は、例えば、画面８００の右側から滑り込む（スライドインする）ように、答案画像８１０に重畳して表示される。なお、採点基準画像１０００は、答案画像８１０が表示された画面８００において、ボタン６１５を入力することによって表示することもできる。
【００３４】
採点者は、図１１に示すように、採点基準画像１０００に表示された採点基準に基づいて、採点箇所に対して採点を行うことができる。具体的には、例えば、採点箇所に誤字がある場合であれば、採点者は、採点基準画像１０００における「表記不備」の中から、指１１００によって、「誤字（表記の誤り）」を選択することができる。
【００３５】
採点基準画像１０００において、採点箇所に対する採点入力が行われると、図１２に示すように、採点基準画像１０００が消去されるとともに、採点箇所に、採点結果を示す画像（採点画像）１２００，１２０１が表示される。この採点画像は、答案画像とは別に、識別番号、減点項目、及び得点と対応付けられて、採点結果記憶部１２６に記憶される。採点基準画像１０００は、例えば、画面８００の右側に滑り出す（スライドアウトする）するように、画面８００から消去することができる。なお、採点基準画像１０００の消去のタイミングは、ユーザ操作によって指定されることとしてもよい。例えば、採点内容の確定を指示するためのボタンや、採点基準画像１０００の消去を指示するためのボタンが押下されることにより、採点基準画像１０００が消去されることとしてもよい。また例えば、画面８００上において採点基準画像１０００が表示されていない領域が選択されることにより、採点基準画像１０００が消去されることとしてもよい。
【００３６】
また、採点者は、図１２に示す画面８００において、ボタン６１４を押下することにより、答案に対する添削を行うことができる。ボタン６１４が押下されると、図１３に示すように、添削を行うための添削メニューの画像１３００が表示される。採点者は、添削メニューから選択することにより、例えば、答案画像に対してテキストを入力したり、線を引いたりすることができる。このように入力された添削結果の画像も、採点画像として、採点結果記憶部１２６に記憶される。
【００３７】
図１４は、答案一覧が表示された画面の一例を示す図である。図１４に示す画面１４００は、例えば、ボタン６１１を押下することにより表示することができる。画面１４００には、複数の答案画像１４１０が表示されている。画面１４００に表示される答案画像１４１０には、識別番号に加えて、採点済みの得点が含まれている。画面１４００では、ボタン６１２，６１３を押下することにより、画面１４００に表示される答案画像１４１０を切り替えることができる。なお、画面１４００において答案画像１４１０が選択されると、選択された答案画像１４１０が図１２に示したように表示される。
【００３８】
採点者は、ボタン６１６を押下することにより、画面１４００に表示される答案画像１４１０の表示順序を変更することができる。ボタン６１６が押下されると、図１５に示すように、表示順序の条件を指定する順序指定画像１５００が表示される。順序指定画像１５００は、例えば、画面１４００の左側から滑り込む（スライドインする）ように表示される。順序指定画像１５００において表示順序（並び替え）の条件が指定されると、順序指定画像１５００は消去され、画面１４００において、指定された表示順序で答案画像１４１０が表示される。順序指定画像１５００は、例えば、画面１４００の左側に滑り出す（スライドアウトする）ように消去される。なお、表示順序の条件には、例えば、得点順や識別番号順が含まれる。また、表示順序の条件には、例えば、採点基準ごとの減点有無の指定が含まれる。また、表示順序の条件は、複数種類を同時に指定可能としてもよい。
【００３９】
以上、本実施形態について説明した。本実施形態によれば、図１０に示すように、答案画像８１０に対するユーザ操作に応じて、答案に対する採点基準の画像である採点基準画像１０００を表示し、採点基準画像１０００が表示された状態で、答案に対する採点入力を受け付けることができる。そして、採点入力後に、採点基準画像１０００を消去することができる。このように、採点基準画像１０００が必要な時のみ表示されるため、図９や図１２に示すように、答案画像８１０が表示される領域を大きくすることができる。これにより、採点基準に基づいて答案の採点を行う際の作業効率を向上させることができる。
【００４０】
また、本実施形態によれば、図１１に示したように、採点基準画像１０００上において、採点入力を受け付けることができる。これにより、採点入力を容易に行うことが可能となる。
【００４１】
また、本実施形態によれば、図９に示したように、答案画像８１０上で採点箇所が指定されたことに応じて、採点基準画像１０００を表示することができる。これにより、採点基準の表示が必要な際に採点基準画像１０００が自動的に表示されることとなり、作業効率を向上させることができる。
【００４２】
また、本実施形態によれば、図１２に示したように、答案画像８１０上の採点箇所に、採点入力の結果を示す採点画像を表示することができる。これにより、答案画像８１０上において採点結果を確認することができるため、作業効率を向上させることができる。
【００４３】
また、本実施形態によれば、図１５に示したように、採点入力の結果に応じた表示順序の条件を指定することにより、該条件に応じた順序で、複数の答案画像を表示することができる。さらに、本実施形態によれば、表示順序の条件として、採点基準における採点入力の結果（例えば採点項目ごとの減点有無）を指定することができる。
【００４４】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００４５】
１００  採点管理システム
１０１  採点支援装置
１０２  ネットワーク
１１０  答案画像記憶部
１１１  答案画像送信部
１１２  採点基準記憶部
１１３  採点基準送信部
１１４  採点結果受信部
１１５  採点結果記憶部
１２０  答案画像取得部
１２１  答案画像記憶部
１２２  採点基準取得部
１２３  採点基準記憶部
１２４  画像表示部
１２５  入力受付部
１２６  採点結果記憶部
１２７  採点結果送信部
５００  メモリ
５０１  プロセッサ
５０２  通信インタフェース
５０３  表示装置
５０４  入力装置
【図１】
2015060505.tif 000003
【図２】
2015060505.tif 000004
【図３】
2015060505.tif 000005
【図４】
2015060505.tif 000006
【図５】
2015060505.tif 000007
【図６】
2015060505.tif 000008
【図７】
2015060505.tif 000009
【図８】
2015060505.tif 000010
【図９】
2015060505.tif 000011
【図１０】
2015060505.tif 000012
【図１１】
2015060505.tif 000013
【図１２】
2015060505.tif 000014
【図１３】
2015060505.tif 000015
【図１４】
2015060505.tif 000016
【図１５】
2015060505.tif 000017